(57)【要約】【課題】洗濯時等浴水利用中でも、ホース等が浴室内や浴室外の床に這わず、ホース等が邪魔にならない浴水利用配管を提供する。【解決手段】浴槽５底面排水孔５１に設けられた開閉自在のゴム栓５２を介して接続された浴槽水排水用の排水管１に、開閉自在の止水弁４が設けられ、該排水管１の止水弁４より上流側に、上方が開口された縦管２が接続され、該縦管２の上方開口部の高さが浴槽４中の最高水位より高くされ、かつ上方開口部が浴室外に開口されている。【選択図】　図１
2004116221.tif 000002
【特許請求の範囲】
【請求項１】
浴槽底面排水孔に設けられた開閉自在のゴム栓を介して接続された浴槽水排水用の排水管に、開閉自在の止水弁が設けられ、該排水管の止水弁より上流側に、上方が開口された縦管が接続され、該縦管の上方開口部の高さが浴槽中の最高水位より高くされ、かつ上方開口部が浴室外に開口されていることを特徴とする浴室利用配管。
【発明の詳細な説明】
【０００１】
【発明の属する技術分野】
本発明は、浴槽内に貯留された水（以降、浴水という。）を、例えば洗濯用水等に利用する際に、取水の為のホース等を浴室内に入れる必要がない浴水排水配管に関する。
【０００２】
【従来の技術】
従来、浴水を洗濯等に利用するためには、浴水をバケツ等で汲み上げて洗濯機まで運搬したり、水中ポンプを浴水内に没入しその吐出口に接続されたホース等を、浴室内を通過して浴室外に置かれた洗濯機まで導いて浴水を給水する、あるいは　浴水外に自吸式ポンプを置き、ポンプに吸水ホースと吐出ホースと接続して、吸水ホースを浴水内に没入し吐出ホースを洗濯機に導いて浴水を洗濯機に給水することが行われている。
【０００３】
更に、近年は、浴水等を汲み上げるための給水ポンプが取り付けられ、水道水と給水ポンプとを切り替えて洗濯機に給水する切替弁が備えられた洗濯機が開示されている（例えば、特許文献１参照。）。
【０００４】
【特許文献１】特開平８−５７１８９号公報
【０００５】
【発明が解決しようとする課題】
しかしながら、給水ポンプに接続される給水用配管としては、フレキシブルなホースが用いられ、ほとんどの場合は、吐出側ホースの一端が洗濯機上面に接続され、洗濯機置き場と浴室の間の床にホースを這わせ、浴槽内にホースの他端を落としこんで使用するため、洗濯中は、浴室内や洗濯機置き場に這っているホースが邪魔になったり、浴室のドアーが締められないという問題点があった。
【０００６】
本発明は上記従来の浴水利用時の課題を解消し、洗濯時等浴水利用中でも、ホース等が浴室内や浴室外の床に這わず、ホース等が邪魔にならない浴水利用配管を提供する目的でなされたものである。
【０００７】
【課題を解決するための手段】
上記課題を解決するための本発明の浴水利用配管は、浴槽底面排水孔に設けられた開閉自在のゴム栓を介して接続された浴槽水排水用の排水管に、開閉自在の止水弁が設けられ、該排水管の止水弁より上流側に、上方が開口された縦管が接続され、該縦管の上方開口部の高さが浴槽中の最高水位より高くされ、かつ上方開口部が浴室外に開口されていることを特徴とする浴室利用配管である。
【０００８】
（作用）
本発明においては、浴槽底面排水孔に設けられた開閉自在のゴム栓を介して接続された浴槽水排水用の排水管に、開閉自在の止水弁が設けられ、該排水管の止水弁より上流側に、上方が開口された縦管が接続され、該縦管の上方開口部の高さが浴槽中の最高水位より高くされ、かつ上方開口部が浴室外に開口されているので、止水弁を閉鎖した状態で浴槽のゴム栓を解放すると、浴水が縦管内に浸入し、液面が浴槽の水高さと同じになり、かつ縦管から溢れることがない。縦管の開口部は、浴室外に位置されるから、フレキシブルホースの先端をこの縦管内の液面下に挿入することで給水が可能となり、浴室内をホースが這うことがない。
【０００９】
縦管内に管が挿入され、該管の下端部にストレーナーが設けられて排水管底面近傍に配置され、上端部が該縦管から突出されてホース接側具が設けられていると、吸水用フレキシブルホースの先端を縦管内に挿入する必要がなく、このホース接続具に繋ぐだけでよいので、更に使い勝手が良くなる。
【００１０】
【発明の実施の形態】
次に本発明の浴水利用配管を図面を参照して説明する。図１は本発明の浴水利用配管の一実施の例を示す断面図、図２は本発明の浴水利用配管の実施の別の一例を示す断面図である。
【００１１】
浴水排水用の排水管１が、浴槽５の底面排水孔５１に設けられた開閉自在のゴム栓５２を介して接続され、浴室床６の下に配管された、浴室壁７位置から浴室床６面の外側に出た箇所で、該排水管１に開閉自在の止水弁４が設けられ、止水弁４と浴室壁７との間の排水管１に、上方が開口された縦管２が接続され、該縦管２の長さが浴槽５の最高水位より長くされている。
【００１２】
本発明の排水配管１が適用される浴室は、浴室内におかれた浴槽５の底面に排水孔５１が設けられその排水孔５１をゴム栓５２等で塞いで内部に貯湯し、排水時に、ゴム栓５２を抜いて、浴水を、排水孔５１下流側に接続された排水管１内に排出する構造であれば、浴槽５が浴室床６置き式であれ半埋設式であれ、どのような構造のものであっても構わないが、排水管１が浴室床６下を略水平方向に浴室壁７位置を越えて配管される構造を有する浴室が好ましい。
【００１３】
一般的に、洗面所や洗濯機置き場は浴室近傍に配置され、浴水の排水管１に、洗面所排水や洗濯機排水が合流されて、下流側に流下するようにされている場合が多く、特に浴室に隣接して洗濯機置き場が設けられている場合には特に好適に適用される。
【００１４】
排水管１は、通常の排水用の管であり、その配管接続構造も一般的な排水用であり、特に限定されない。例えば、最も一般的には、塩化ビニル樹脂製管が、勾配１／１００以上となるよう、部材同士の接続に接着剤を用いて配管される場合が多い。
【００１５】
縦管２は、排水管１が浴室壁７位置から浴室床６を離れた後に、上方を開口して、Ｔ字形に分岐して取り付けられる。この場合縦管２は、止水弁４の上流側に配置され、かつ浴室壁７の外側面に沿って配管される。あるいは、図２に示されるように、縦管２は、浴室壁７内部に配置され、開口部が浴室外に向けて開口されていても良い。
【００１６】
縦管２は、排水管１と同様の、通常の排水用の管であり、その配管接続構造も一般的な排水用であり、特に限定されない。例えば、最も一般的には、塩化ビニル樹脂製管が、チーズ継手で枝管として接続されれば良い。
【００１７】
図３に示されるように、縦管２は、その内部に、先端に毛髪やゴミ等を除去するストレーナー３１を取り付けた浴水汲み上げ用のフレキシブルホース３Ａが挿通される。従って、その太さは該ホース３Ａ又はストレーナー３１が楽に挿入又は抜き出しが可能な太さであれば良く、特に限定される太さはない。又、その長さは、止水弁４を閉鎖して浴槽５のゴム栓５２を抜いた時に、浴水が縦管２上端部から溢れないために、その上方開口端部位置が浴槽５の浴水高さ以上となるようにされる。
【００１８】
縦管２と排水管１との接続は、それぞれの管の材質に応じて適宜選択して適当な方法で接続されればよい。例えば排水管１、縦管２がいずれも塩化ビニル樹脂製であれば、塩化ビニル樹脂製テーパースリーブチーズを用いて、常法に従って接着剤により接着接続されれば良い。又、縦管２は、適当なクランプ等で浴室壁７外側に固定されていると、ホースの３Ａの挿入や抜き出し時、又は浴槽５のゴム栓５２を抜いた時に、浴水が流れて縦管２を揺らしても、損傷したり音が出ることが防がれるので、好ましい。
【００１９】
止水弁４は、排水管１の、縦管２より下流側に取り付けられる。弁４の形式は、排水用管路の開閉弁として毛髪、ゴミ等による閉塞不良が起こらない構造であれば、特に限定されない。又排水管１との接続も、通常の排水管路に取り付けられる弁と同じ方法で接続されればよく、特に限定されない。
【００２０】
止水弁４は、通常の手動式又は電動式、圧縮エアー式等のバルブやコック等、開閉が自在であれば、どのような形式のものであっても構わない。例えば、電動式で開閉可能であれば、止水弁４が床下に格納されていても、開閉スイッチを洗濯機手元に設置しておけば、その開閉が容易にできるので、作業性が向上する。
【００２１】
縦管内にある浴水を汲み上げるために、上記縦管内に管が挿入され、該管の下端部にストレーナーが設けられ、そのストレーナーが排水管底面近傍に配置され、上端部が該縦管から突出されてホース接続具が設けられているようにされていても良い。
【００２２】
図４は、縦管２内に別の管３Ｂが挿入されている状態を示す断面図である。縦管２内に管３Ｂが挿入され、管３Ｂの下端部が排水管１の底面近傍に配置され、管３Ｂの上端部が縦管２上端部から突出しされていると、浴水利用のたび毎にいちいちフレキシブルホース３Ａ先端を縦管２内部に挿入したり抜き出したりする必要がなく、フレキシブルホース３Ａをその先端部に取り付けるだけでよいので、作業性が大きく向上する。
【００２３】
この場合、管３Ｂの下端部に毛髪やゴミ等を除去するストレーナー３１を取り付け、管３Ｂの上端部にホース３Ａを接続するためのホース接続具３２を取り付けるとよい。
【００２４】
管３Ｂは縦管２内に挿入されており、縦管２と管３Ｂとの間には隙間が設けられ、この隙間は上方に解放されている。従って、止水弁４を閉鎖し、ゴム栓５２を解放して浴水を排水管１に流入させた時、浴水は縦管２内にも流入し、管３Ｂ内にも流入する。この時に管３Ｂが振動して騒音を発生したり損傷したりすることを防いだり、管３Ｂと縦管２との相対的な位置を一定にしたりするために、管３Ｂは適当な方法で固定されている。適当な方法とは、縦管２の上端部の開口部を閉鎖せずに空気の流通が確保され、かつ管３Ｂ下端部を任意の位置で固定できる方法のことである。例えば、縦管２の上端部に金属棒状のステー３３等を取り付けそれに管３Ｂを取り付ける、等の方法が挙げられる。
【００２５】
管３Ｂは、通常の給水用管であればよく特に限定されないが、最も一般的には塩化ビニル樹脂製管である。また、その外径は、縦管２内に挿入可能な大きさであれば良いが、あまりに細いとポンプ等で浴水を汲み出す時に吸い込み抵抗が大きくなってしまうので、適宜選択して選ばれれば良い。
【００２６】
上記ストレーナー３１は、通常の脱着や清掃が可能なストレーナーであればよく特に限定されない。ホース接続具３２は、例えばホースニップル、ホースユニオン、カップリング等、一般的なホース接続具でよく特に限定されない。なお、ストレーナー３１がホース接続具３２の近傍にあれば、ストレーナー３１の清掃時に、管３Ｂを縦管２から抜かずにすみ、清掃作業がし易くなるので、ホース接続具３２の前後に近接して取り付けられても良い。
【００２７】
排水管１の止水弁４より下流側には、洗面所排水や洗濯機排水が合流される。この時、止水弁の開閉に伴い排水管１の更に下流側の臭気が上がり易いので、常法に従って、例えば腕型防臭トラップを介して合流するようにされる。この腕型防臭トラップは、洗濯機排水用の洗濯機パンに備え付けられた防臭トラップと兼用されても良い。この場合であれば、洗濯機パンの防臭トラップに排水管１の先端を接続すれば良い。なお、これらはいずれも図示しない。
【００２８】
次に、本発明の浴水利用配管の使用の方法を説明する。まず、止水弁４を浴水を閉鎖し、次いで浴槽５の排水孔５１に設けられているゴム栓５２を解放すると、浴水が排水管１及び縦管２内に流入し、縦管２内の水位が浴槽５内の浴水水位と同じ高さとなる。縦管２内にフレキシブルホース３Ａを挿入する、又は管３Ｂが設けられている場合はその先端に取り付けられているホース接続具３２にホース３Ａを接続する。ポンプ８の吐出側を例えば洗濯機に導いておき、ポンプ８を運転すると、吸引された浴水は洗濯機に給水される。必要な水量が洗濯機に給水されたら、ポンプを停止する。浴水を利用しなくなったら、止水弁４を解放して、浴水を排水管１の下流に流す。
【００２９】
【発明の効果】
以上の通りであるから、本発明の浴水利用配管は、洗濯等で浴水利用中でも、ホース等が浴室内や浴室外の床に這わず、ホース等が邪魔にならない浴水利用配管となるのである。
【図面の簡単な説明】
【図１】本発明の浴水利用配管の実施の一例を示す断面図である。
【図２】本発明の浴水利用配管の実施の別の一例を示す断面図である。
【図３】縦管内にフレキシブルホースが挿入されている状態を示す断面図である。
【図４】縦管内に管が挿入されている状態を示す断面図である。
【符号の説明】
１　排水管
２　縦管
２１　開口部
３Ａ　フレキシブルホース
３Ｂ　管
３１　ストレーナー
３２　ホース接続具
３３　ステー
４　止水弁
５　浴槽
５１　浴槽排水孔
５２　ゴム栓
６　浴室床
７　浴室壁
８　ポンプ
【図１】
2004116221.tif 000003
【図２】
2004116221.tif 000004
【図３】
2004116221.tif 000005
【図４】
2004116221.tif 000006